(57)【要約】【課題】一度に切断される髪の量を少なくし、滑らかな切れ味で髪を切断することができ、二枚の刃体が滑らかに擦れ合うと共に、髪を傷めるおそれが低減された梳き鋏を提供する。【解決手段】枢着された二枚の刃体の少なくとも一方が、複数の櫛歯１２が櫛溝１１を介して連設された櫛刃体１０である梳き鋏１であって、それぞれの櫛歯の刃元側端部１７には、櫛歯の刃縁が突出した案内突部１４が形成されており、それぞれの櫛歯の刃先側端部１８から案内突部の基底部１４ｂに至る切刃線１５は、全ての櫛歯の基底部を結んだ仮想の刃線Ｌ１上にはないと共に、刃先側端部は仮想の刃線より低い位置にある。【選択図】図１
2011010836.tif 000002
【特許請求の範囲】
【請求項１】
枢着された二枚の刃体の少なくとも一方が、複数の櫛歯が櫛溝を介して連設された櫛刃体である梳き鋏であって、
それぞれの前記櫛歯の刃元側端部には、前記櫛歯の刃縁が突出した案内突部が形成されており、
それぞれの前記櫛歯の刃先側端部から前記案内突部の基底部に至る切刃線は、全ての前記櫛歯の前記基底部を結んだ仮想の刃線上にはないと共に、前記刃先側端部は前記仮想の刃線より低い位置にある
ことを特徴とする梳き鋏。
【請求項２】
前記切刃線の長さは、前記櫛溝の開口幅の２倍〜６倍である
ことを特徴とする請求項１または請求項２に記載の梳き鋏。
【発明の詳細な説明】
【技術分野】
【０００１】
本発明は、理美容用の梳き鋏に関するものである。
【背景技術】
【０００２】
一般的な梳き鋏９は、複数の櫛歯１０２が櫛溝１０１を介して連設された櫛刃体１００と、刃縁９３が刃元Ｂから刃先Ｐまで全長にわたって切刃となった棒刃体９０が枢着軸Ａにより組み付けられて形成されており（図６参照）、閉じ操作に伴い、櫛歯１０２の刃縁１０３と棒刃体９０の刃縁９３との間に介在する髪は切断されるが、櫛溝１０１内に入り込んだ髪は切断されない。
【０００３】
このような梳き鋏の一種として、櫛歯の刃縁に、局所的にＵ字状、Ｖ字状等の凹部が形成された梳き鋏が、従前より種々提案されている。これは、凹部で髪を保持し、保持された分量の髪を確実に切断しようとするものである。ところが、このような構成では、一度に切断される髪の量が多く、髪形が不自然になりやすいものであった。また、鋏の閉じ操作に伴って、コツコツとした不連続な切断抵抗が生じ、使用感が悪いと共に長時間の使用は使用者の手に負担となるものであった。
【０００４】
そこで、凹部の形状や大きさの設定により、凹部における髪の捕捉量を少なくすることを意図した梳き鋏も提案されている（特許文献１参照）。これは、凹部の形状を半円形状とすると共に、刃元から刃先に向かって凹部の深さをより浅くする、或いは、刃先側で凹部を傾けることにより、刃先側で髪の捕捉量を減らし、鋏の閉じ操作の際の抵抗を低減させようとしたものである。
【０００５】
一方、本発明者は、櫛歯の刃縁線を櫛刃体の刃先側に向けて下降する方向に傾斜させた梳き鋏を提案している（特許文献２参照）。かかる構成により、刃縁線の傾斜に沿って髪の逃げが促進されるため、一度に切断される髪の量を少なくすることができ、切断抵抗が低減される。また、いわゆる引き切り（撫で切り）の効果により、滑らかに髪を切断することができる。
【発明の概要】
【発明が解決しようとする課題】
【０００６】
しかしながら、特許文献１の技術では、凹部を浅くすることで髪の切断量をある程度は少なくできるものの、切断抵抗を低減して滑らかな切れ味を実現するには、不十分なものであった。また、髪型の多様化により、“髪を梳いて髪量を減らす”というよりは、“髪型を創る”ためにも梳き鋏が用いられるようになってきている。これに伴い、梳き鋏の使用態様においても、静刃側の刃体をほぼ水平に移動させて切断を行う、従来通りの使用態様に加えて、刃体を縦方向や斜め方向に動かして使用することも行われるようになっている。そのため、上記のように、櫛歯の刃縁に凹部を備える梳き鋏では、刃体を縦方向や斜め方向に動かす際に、凹部に髪が引掛かり、髪を傷めてしまうという問題があった。
【０００７】
また、特許文献２の技術によれば、一度に切断される髪の量を少なくし、滑らかに髪を切断できる点でかなり改善されたものであったが、近年では、よりソフトな仕上がりの髪形が好まれる傾向があり、一度に切断される髪の量を、更に少なくすることができる梳き鋏が要請されている。
【０００８】
加えて、梳き鋏では、鋏の閉じ操作に伴う二枚の刃体の擦れ合いは、連続的で滑らかなものとはならず、断続的になる。即ち、櫛刃体と擦れ合う他方の刃体は、櫛刃体の櫛溝部分と対面するごとに擦れ合う対象を失い、次に擦れ合う櫛歯と衝突する。そのため、このような衝突に起因する衝撃が低減された梳き鋏が望まれていた。また、梳き鋏では、二枚の刃体が擦れ合う際に、櫛歯の刃元側で髪が挟み込まれて髪が折れやすく、枝毛や切れ毛の原因となることがあった。
【０００９】
そこで、本発明は、上記の実情に鑑み、一度に切断される髪の量を少なくし、滑らかな切れ味で髪を切断することができ、二枚の刃体が滑らかに擦れ合うと共に、髪を傷めるおそれが低減された梳き鋏の提供を、課題とするものである。
【課題を解決するための手段】
【００１０】
上記の課題を解決するため、本発明にかかる梳き鋏は、「枢着された二枚の刃体の少なくとも一方が、複数の櫛歯が櫛溝を介して連設された櫛刃体である梳き鋏であって、それぞれの前記櫛歯の刃元側端部には、前記櫛歯の刃縁が突出した案内突部が形成されており、それぞれの前記櫛歯の刃先側端部から前記案内突部の基底部に至る切刃線は、全ての前記櫛歯の前記基底部を結んだ仮想の刃線上にはないと共に、前記刃先側端部は前記仮想の刃線より低い位置にある」ものである。
【００１１】
「刃元側端部」は、それぞれの櫛歯における刃縁の両端部のうち、刃元側の端部を指しており、「刃先側端部」は刃先側の端部を指している。
【００１２】
「仮想の刃線」は、櫛刃体の形状を全体的に捉えたときの刃線であり、「仮想の刃線より低い位置」とは、鋏を閉じ操作した際に他方の刃体と擦れ合う時期が、仮想の刃線上にある点より遅くなる位置を指している。
【００１３】
「切刃線」の形状は、刃先側端部が仮想の刃線より低い位置になるものであれば、曲線であっても直線であっても良い。例えば、仮想の刃線が円弧状である場合、切刃線は仮想の刃線より曲率の大きな円弧状であっても、仮想の刃線より曲率の小さな円弧状であっても良い。また、切刃線は、途中で曲率が変化する曲線であっても良い。また、複数の櫛歯について、それぞれの切刃線の形状は同一であっても異なっていても良い。
【００１４】
本発明の梳き鋏では、それぞれの櫛歯の刃元側端部に案内突部が形成されているため、鋏の閉じ操作に伴い、櫛刃体においては案内突部が最初に他方の刃体と接触する。これにより、案内突部の裏面は、他方の刃体を受け入れて、擦れ合いに案内する作用を奏する。従って、本発明の梳き鋏は、二枚の刃体が滑らかに擦れ合うため、閉じ操作が滑らかで使用感が良い。
【００１５】
また、二枚の刃体の間に挟まれた髪の多くは、案内突部に沿って滑り落ちやすい。そのため、鋏の閉じ操作に伴い櫛歯の刃元側端部付近で髪が挟み込まれることに起因して、髪が折れるおそれが低減される。そして、切刃線は刃先側端部が仮想の刃線より低い位置となるように形成されており、換言すれば、切刃線は刃先側に下降するように形成されているため、刃先側に向かって髪が逃げやすい。これにより、切刃線に沿って転がり、更には櫛溝内に落ちる髪の量を多くし、一度に切断される髪の量を少なくすることができる。また、切断される髪も、切刃線に沿って転がりながら切断されることとなるため、撫で切りの効果により、滑らかな切れ味で髪を切断することができる。加えて、切刃線に沿って転がりながら切断される髪は、生え際からの長さが不揃いとなるため、ソフトで自然な印象を与える髪形に仕上げることができる。
【００１６】
なお、本発明では、二枚の刃体のうち一方のみが櫛刃体であっても、双方の刃体が共に櫛刃体であっても良い。後者の場合、一方の櫛刃体の櫛溝と他方の櫛刃体の櫛溝が、共に重なり合う設定とすることが望ましい。
【００１７】
本発明にかかる梳き鋏は、「前記切刃線の長さは、前記櫛溝の開口幅の２倍〜６倍である」ものとすることができる。
【００１８】
従来の梳き鋏では、一般的に、櫛歯の幅、即ち、枢着軸から刃先に向かう方向に沿った櫛歯の長さは、隣接する櫛歯間の櫛溝の幅と同程度であるため、櫛歯の刃縁に形成された切刃の長さも、櫛溝の幅と同程度である。これに対し、上記構成の本発明では、切刃線の長さを、従来の梳き鋏に比べてかなり長いものとしている。
【００１９】
上述のように、多くの髪が案内突部に沿って滑り落ち易く、切刃線に沿って刃先側に髪が転がりやすいために、切刃線が短過ぎる場合は、髪を逃がしながら滑らかに切断するという作用効果が十分に得られないおそれがある。本発明では、切刃線の長さを従来の梳き鋏よりかなり長くすることによって、髪を逃がしながら滑らかに切断するという作用効果を十分に得ることができると共に、切断される髪の本数をある程度確保することができる。加えて、切刃線の長さを櫛溝の開口幅の２倍〜６倍の範囲で加減することにより、一度に切断される髪の量が所望の量に設定された梳き鋏を、容易に設計及び製造することができる。
【００２０】
ここで、切刃線を長くすれば自ずと櫛歯の幅も長くなるが、これに伴う梳き鋏全体の質量増加を避けたい場合は、櫛歯の中間部分で櫛歯の幅を小さくしても良い。換言すれば、櫛溝の開口幅はそのままで、それより奥では櫛溝の幅を大きくする。或いは、櫛歯に貫通する長孔部を形成することによっても、鋏全体の質量を抑えることができる。
【発明の効果】
【００２１】
以上のように、本発明の効果として、一度に切断される髪の量を少なくし、滑らかな切れ味で髪を切断することができ、二枚の刃体が滑らかに擦れ合うと共に、髪を傷めるおそれが低減された梳き鋏を提供することができる。
【図面の簡単な説明】
【００２２】
【図１】第一実施形態の梳き鋏の要部正面図及び部分拡大図である。
【図２】切刃線の他の形状を例示する説明図である。
【図３】第二実施形態の梳き鋏の要部正面図及び部分拡大図である。
【図４】第三実施形態の梳き鋏の要部正面図及び部分拡大図である。
【図５】第一実施形態の梳き鋏の櫛歯に長孔部を形成した場合の要部正面図である。
【図６】従来の梳き鋏の構成を説明する正面図である。
【発明を実施するための形態】
【００２３】
以下、本発明の第一実施形態である梳き鋏１について、図１に基づいて説明する。梳き鋏１は、枢着された二枚の刃体の一方が、複数の櫛歯１２が櫛溝１１を介して連設された櫛刃体１０である梳き鋏１であって、それぞれの櫛歯１２の刃元側端部１７には、櫛歯１２の刃縁が突出した案内突部１４が形成されており、それぞれの櫛歯１２の刃先側端部１８から案内突部１４の基底部１４ｂに至る切刃線１５は、全ての櫛歯１２の基底部１４ｂを結んだ仮想の刃線Ｌ１上にはないと共に、刃先側端部１８は仮想の刃線Ｌ１より低い位置にあるものである。加えて、切刃線１５の長さは、櫛溝１１の開口幅Ｗ１の約３倍の長さとなるように形成されている。
【００２４】
より詳細には、第一実施形態の梳き鋏１では、仮想の刃線Ｌ１は円弧状であり、切刃線１５は仮想の刃線Ｌ１より曲率の大きな円弧状に形成されている。また、第一実施形態では、それぞれの櫛歯１２の案内突部１４先端を結んだ仮想線Ｌ１１も円弧状である。なお、ここで言う“円弧状”は、真円の円周の一部に限定されず、楕円の周の一部や、一方向に滑らかに曲がる曲線を含む意で用いている。
【００２５】
また、梳き鋏１では、静刃が櫛刃体１０であり、動刃は全長にわたり切刃線８３が形成された棒刃体８０となっている。櫛刃体１０において、複数の櫛溝１１は枢着軸Ａを中心とする同心円弧状に形成されている。また、本実施形態では、各櫛歯１２の幅はほぼ同一であり、櫛溝１１の幅も刃元から刃先までほぼ同一となっている。
【００２６】
このような構成の梳き鋏１では、閉じ操作に伴い、案内突部１４の裏面は、棒刃体８０を受け入れて案内するため、二枚の刃体の擦れ合いが滑らかで使用感が良い。なお、案内突部１４の裏面を、棒刃体８０との接触に対する逃げ方向に面取りするように形成すると、上記の案内作用をより効果的に発揮する。
【００２７】
また、櫛刃体１０と棒刃体８０との間に挟まれた髪の多くは、案内突部１４に沿って滑り落ちやすい。そのため、刃元側端部１７付近で髪が挟み込まれて、髪が折れるおそれが低減される。そして、切刃線１５は、仮想の刃線Ｌ１より曲率の大きい円弧状に形成されていると共に、刃先側端部１８が仮想の刃線Ｌ１より低い位置となるように形成されているため、案内突部１４に沿って滑り落ちた髪は、更に切刃線１５に沿って刃先側に逃げやすい。これにより、櫛溝１１内に落ちる髪を多くし、一度に切断される髪の量を少なくすることができると共に、切断される髪も切刃線１５に沿って転がりながら切断されるため、滑らかな切れ味で髪を切断することができる。また、切刃線１５に沿って転がりながら切断される髪は長さが不揃いとなるため、ソフトで自然な髪型に仕上げることができる。
【００２８】
更に、本実施形態では仮想的な刃線Ｌ１が円弧状である。ここで、鋏においては、二枚の刃体の開いた角度（以下、「はさみ角」と称する）が大きいほど、鋏の閉じ操作に伴って髪が刃先方向に逃げやすい。例えば、刃が直線的に形成されている鋏では、はさみ角は閉じ操作に伴って小さくなるため、刃元側では髪は逃げやすく、刃先側では髪は二枚の刃体に挟持されて切断されやすい。これに対し、本実施形態のように刃線が円弧状の場合は、二枚の刃体の開閉に伴うはさみ角の変化がほとんどないため、刃元側から刃先側まで、髪の逃げ易さを同程度にすることができる。すなわち、一度に切断される髪の量を少なくできると共に、どの位置の切刃線１５で髪が切断されるかによらず、切断される髪の量が均一になりやすい。
【００２９】
更に、切刃線１５の長さが櫛溝１１の開口幅Ｗ１の約３倍とかなり長いため、上記のように案内突部１４の存在、切刃線１５の形状、及び仮想的な刃縁線Ｌ１の形状によって、髪が極めて逃げやすいものとなっていても、切刃線１５で切断される髪の本数が確保されると共に、髪を逃がしながら滑らかに切断するという作用効果を十分に奏することができる。なお、具体的には切刃線１５の長さは２．５ｍｍ〜４．５ｍｍであり、従来の梳き鋏の櫛歯の刃縁の長さ１ｍｍ〜１．５ｍｍに比べてかなり長いものとなっている。
【００３０】
なお、第一実施形態における切刃線１５の形状は、図１及び図２（ａ）に示すように、一部が仮想の刃線Ｌ１より僅かに膨出すると共に仮想の刃線Ｌ１より曲率の大きな円弧状であるが、刃先側端部１８が仮想の刃線Ｌ１より低い位置にあるものであれば、これに限定されない。例えば、図２（ｂ）に示すように、仮想の刃線Ｌ１より曲率の大きな円弧状であって、案内突部１４の基底部１４ｂから刃先側端部１８まで、全長にわたり仮想の刃線Ｌ１より低くなっている切刃線１５ｂとすることができる。或いは、図２（ｃ）に示すように、仮想の刃線Ｌ１より曲率の小さな円弧状の切刃線１５ｃとすることもできる。なお、図２（ｃ）は、仮想の刃線Ｌ１より曲率半径が約１０％大きな円弧状である場合を図示している。
【００３１】
また、切刃線が円弧状である場合、図２（ａ）〜（ｃ）とは曲がる向きが逆の円弧状であっても良い。例えば、図２（ｄ）に示すように、全体的に滑らかに弧を描く逆向き円弧状の切刃線１５ｄとすることができる。この例のように、仮想の刃線Ｌ１より低い刃先側端部１８に向かって滑らかに弧を描く場合、逆向き円弧状であっても髪を保持する作用は実質的に奏さず、髪を刃先側に逃がす作用が優先的に作用する。更に、図２（ａ）〜（ｄ）に示す切刃線のように一方向に滑らかに曲がる曲線状に限定されず、図２（ｅ）に示すように、途中で曲率が変化する曲線状の切刃線１５ｅとすることもできる。加えて、円弧状や曲線状の場合に限られず、図２（ｆ）に示すように、直線状の切刃線１５ｆとすることもできる。
【００３２】
次に、第二実施形態の梳き鋏２について、図３を用いて説明する。梳き鋏２は、枢着された二枚の刃体の一方が、複数の櫛歯２２が櫛溝２１を介して連設された櫛刃体２０である梳き鋏２であって、それぞれの櫛歯２２の刃元側端部２７には、櫛歯２２の刃縁が突出した案内突部２４が形成されており、それぞれの櫛歯２２の刃先側端部２８から案内突部２４の基底部２４ｂに至る切刃線２５は、全ての櫛歯２２の基底部２４ｂを結んだ仮想の刃線Ｌ２上にはないと共に、刃先側端部２８は仮想の刃線Ｌ２より低い位置にあるものである。加えて、切刃線２５の長さは、櫛溝２１の開口幅Ｗ２の３〜４倍の長さとなるように形成されている。
【００３３】
より詳細には、第二実施形態の梳き鋏２では、仮想の刃線Ｌ２は円弧状であり、切刃線２５は仮想の刃線Ｌ２より曲率の大きな円弧状に形成されている。また、第二実施形態では、それぞれの櫛刃１２の案内突部２４先端を結んだ仮想線Ｌ２２も円弧状である。
【００３４】
梳き鋏２では、静刃が櫛刃体２０であり、動刃は全長にわたり切刃線８３が形成された棒刃体８０となっている。櫛刃体２０において、複数の櫛溝２１は枢着軸Ａを中心とする同心円弧状に形成されていると共に、刃縁における開口部より櫛溝２１内部において溝幅が広くなるように、正面視で略楕円形状に形成されている。従って、櫛溝２１が内部で広がっている分、それぞれの櫛歯２２は、隣接する櫛歯２２とつながっている基端から刃縁までの中間部分で細長く延び、刃縁側では刃縁に向かって幅広となる逆三角形状となっている。
【００３５】
このような構成の梳き鋏２では、第一実施形態と同様に、一度に切断される髪の量を少なくし、髪を逃がしながら滑らかに切断できると共に、二枚の刃体２０，８０が滑らかに擦れ合うと共に、髪を傷めるおそれが低減されている。
【００３６】
加えて、第二実施形態では、櫛溝２１の幅を開口幅Ｗ２より内部側で大きくしているため、切刃線１５を長くすることに伴って櫛歯２２の幅も長くなることが防止され、梳き鋏２全体の質量の増加が抑制されている。更に、第二実施形態では櫛溝２１内の空間が広く、多くの髪が収容されるため、一度に切断される髪の量をより少なくできると共に、櫛溝２１内の空間が広いため、切断されなかった髪が櫛刃体２０から抜けやすいものとなっている。
【００３７】
次に、第三実施形態の梳き鋏３について、図４を用いて説明する。この梳き鋏３では、枢着された二枚の刃体の双方が櫛刃体である。第一の櫛刃体３０では、複数の櫛歯３２が櫛溝３１を介して連設されており、それぞれの櫛歯３２の刃元側端部３７には、櫛歯３２の刃縁が突出した案内突部３４が形成されており、それぞれの櫛歯３２の刃先側端部３８から案内突部３４の基底部３４ｂに至る切刃線３５は、全ての櫛歯３２の基底部３４ｂを結んだ仮想の刃線Ｌ３上にはないと共に、刃先側端部３８は仮想の刃線Ｌ３より低い位置にあるものである。加えて、切刃線３５の長さは、櫛溝３１の開口幅Ｗ３の約３倍の長さとなるように形成されている。
【００３８】
より詳細には、第三実施形態の梳き鋏３では、仮想の刃線Ｌ３は円弧状であり、切刃線３５は仮想の刃線Ｌ３より曲率の大きな円弧状に形成されている。また、第三実施形態では、それぞれの櫛刃３２の案内突部３４先端を結んだ仮想線Ｌ３３も円弧状である。
【００３９】
第二の櫛刃体４０では、複数の櫛歯４２が櫛溝４１を介して連設されており、櫛溝４１は第一の櫛刃体３０の櫛溝３１と重なり合う位置に形成されている。ここで、それぞれの櫛歯４１の刃縁に沿って切刃線４３が形成されている。なお、第二の櫛刃体４０は、案内突部に相当する構成を備えていない。
【００４０】
より詳細には、梳き鋏３では、第一の櫛刃体３０が静刃、第二の櫛刃体４０が動刃となっている。複数の櫛溝３１及び複数の櫛溝４１は、枢着軸Ａを中心とする同心円弧状に形成されている。また、本実施形態では、複数の櫛歯３２及び複数の櫛歯４２の幅は同一であり、櫛歯３２の幅と櫛歯４２の幅、及び櫛溝３１の幅と櫛溝４１の幅も、刃元から刃先までほぼ同一となっている。
【００４１】
このような構成の梳き鋏３によれば、第一実施形態及び第二実施形態と同様に、一度に切断される髪の量を少なくし、髪を逃がしながら滑らかに切断できると共に、二枚の刃体３０，４０が滑らかに擦れ合うと共に、髪を傷めるおそれが低減されている。
【００４２】
加えて、第三実施形態の梳き鋏３では、閉じ操作に伴って第一櫛刃体３０の櫛溝３１と第二櫛刃体４０の櫛溝４１が重なり合うため、髪が抜き取られる際に当たる刃が存在せず、髪が傷つくおそれがない。加えて、二枚の櫛刃体３０，４０が閉じられた際に、櫛溝３１と櫛溝４１とが連通して大きな空間となるため、この空間内に髪が拡がり、極めて容易に抜き取ることができる。更に、上記の実施形態でも同様であるが、櫛溝３１，４１が枢着軸Ａを中心とした同心円弧状であるため、鋏の開閉操作、即ち、枢着軸Ａを中心とする櫛刃体３０，４０の回動運動に伴って、櫛溝３１，４１内の髪が櫛溝の側壁と擦れにくく、摩擦による髪の傷みが低減されている。
【００４３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４４】
例えば、第一実施形態及び第三実施形態のように櫛歯が幅広である場合、図５に示すように、櫛歯１２を貫通する長孔部１９を設けても良い。このようにすることにより、櫛刃体１０ｂの質量が軽くなり、使用者の手にかかる負担が軽減される。ここで、図５は、長孔部１９以外の構成は第一実施形態と同様である梳き鋏１ｂを例示している。図示のように、長孔部１９の幅を櫛溝１１の幅とほぼ同一とし、櫛溝１１と同様に枢着軸Ａを中心とした同心円弧状となるよう長孔部１９を形成すれば、外観上も美しい。
【００４５】
また、上記の実施形態では、一つの梳き鋏の複数の櫛歯において、それぞれの切刃線の形状が等しい場合を図示して例示したが、これに限定されず、刃元から刃先までの位置に応じて切刃線の形状を変化させても良い。このような構成にすることにより、髪の滑りやすさ、切刃線に沿って転がり櫛溝内に落ちる髪の量を、刃元から刃先までの位置に応じて加減することができる。例えば、刃元から刃先に向かって円弧状の切刃線の曲率を徐々に大きくすることにより、一度に切断される髪の量をより少なくすることができる。
【００４６】
更に、上記の実施形態では、一つの梳き鋏の複数の櫛歯について、櫛歯の幅ひいては切刃線の長さが等しい場合を図示して例示したが、これに限定されず、切刃線の長さを刃元から刃先までの位置に応じて変化させても良い。このような構成にすることにより、切刃線に沿って転がりながら切断される髪の量を、刃元から刃先までの位置に応じて加減することができる。例えば、刃元から刃先に向かって櫛歯の幅を短くすることにより、切断される髪の量をより少なくすることができる。
【符号の説明】
【００４７】
１，１ｂ，２，３  梳き鋏
１０，２０，３０  櫛刃体
１１，２１，３１  櫛溝
１２，２２，３２  櫛歯
１４，２４，３４  案内突部
１４ｂ、２４ｂ，３４ｂ  基底部
１５，１５ｂ，１５ｃ，１５ｄ，１５ｅ，１５ｆ，２５，３５  切刃線
１７，２７，３７  刃元側端部
１８，２８，３８  刃先側端部
【先行技術文献】
【特許文献】
【００４８】
【特許文献１】実用新案登録第２５２３６７６号公報
【特許文献２】特開２００３−２３０７７４号公報
【図１】
2011010836.tif 000003
【図２】
2011010836.tif 000004
【図３】
2011010836.tif 000005
【図４】
2011010836.tif 000006
【図５】
2011010836.tif 000007
【図６】
2011010836.tif 000008